(57)【要約】【課題】使用者の名字を立体文字で表すことにより、アイデンティティを明確かつ目立つように表現することができるズボンベルト用バックルを提供する。【解決手段】バックル１は、板状のバックル本体２と、バックル本体２の表面から突出した名字を表す立体文字部３と、バックル本体２の裏面に設けられた、ズボンベルトの基端側を取り付ける取付部４と、バックル本体の裏面に設けられた、ズボンベルトの先端側を係止する係止部５とを含み構成されている。バックル本体２と、立体文字部３、取付部４及び係止部５とは、相互間に継目のない連続した金属からなる。【選択図】図１
0003227246.tif 000002
【実用新案登録請求の範囲】
【請求項１】
板状のバックル本体（２）と、バックル本体（２）の表面から突出した名字を表す立体文字部（３）とを含むことを特徴とするズボンベルト用バックル。
【請求項２】
バックル本体（２）と立体文字部（３）とは、相互間に継目のない連続した金属からなる請求項１記載のズボンベルト用バックル。
【請求項３】
板状のバックル本体（２）と、バックル本体（２）の表面から突出した名字を表す立体文字部（３）と、バックル本体（２）の裏面に設けられた、ズボンベルトの基端側を取り付ける取付部（４）と、バックル本体（２）の裏面に設けられた、ズボンベルトの先端側を係止する係止部（５）とを含むことを特徴とするズボンベルト用バックル。
【請求項４】
バックル本体（２）と、立体文字部（３）、取付部（４）及び係止部（５）とは、相互間に継目のない連続した金属からなる請求項３記載のズボンベルト用バックル。
【請求項５】
立体文字部（３）の一字の大きさは、縦３０〜８０ｍｍ且つ横３０〜８０ｍｍである請求項１〜４のいずれか一項に記載のズボンベルト用バックル。
【請求項６】
立体文字部（３）の突出高さは、２〜１５ｍｍである請求項１〜５のいずれか一項に記載のズボンベルト用バックル。
【請求項７】
バックル本体（２）の裏面に、肉抜き用凹部（１４）が形成されている請求項１〜６のいずれか一項に記載のズボンベルト用バックル。
【考案の詳細な説明】
【技術分野】
【０００１】
本考案は、ズボンベルト用バックル（以下単に「バックル」という。）に関するものである。
【背景技術】
【０００２】
一般的なバックルは、ズボンベルトの基端側を固定する基端側取付部と、ズボンベルトの先端側をベルトループ長調節のうえ係止する先端側係止部とを備えており、これら両部がバックル本体に設けられたものが多い。また、これら各部は金属からなるものが多い。
【０００３】
そのような金属製のバックルは、金型を使用して製作した大量生産商品である場合が多く、個性を表現した少量生産商品は少なく、アイデンティティを表現したオンリーワン商品はほとんどない。また、バックル本体と基端側取付部とが、別部品を組み合わせたアッセンブリーとなっているものは、耐久性に欠ける。
【０００４】
バックル本体の表面に図形や模様等を施したデザインバックルも多種あり、デザインを選択することにより個性をある程度表現することはできるが、やはり大量生産商品の範疇を出ず、アイデンティティを表現したオンリーワン商品ではない。また、量産のため、加工しやすい２次元デザインが多い。
【０００５】
また、バックル本体の表面にイニシャル文字を施したイニシャル入りバックルもある。
例えば、特許文献１には、バックルの表面に、署名商標若しくは著名図柄等を表す薄い色の模様副体を設け、この模様副体の上に重ねてイニシャルを表す濃い色の模様主体を設けたものが記載されている。
特許文献２には、バックルの化粧板に、本人のイニシャルを洋文字の変形か花文字にして入れたり、家紋を入れたりしたものが記載されている。
特許文献３には、バックルの表面に形成した収納凹部に、使用者のイニシャル文字を入れた小片を嵌め入れ、バックルの裏面に形成した凹部に、氏名欄等を設けたプレート板を固定したものが記載されている。
【０００６】
これらのイニシャル入りバックルは、アイデンティティをある程度表現することはできるが、イニシャルから使用者の名字（苗字）が直ちに分かるわけではないので、アイデンティティを明確に表現するものではなかった。
【先行技術文献】
【特許文献】
【０００７】
【特許文献１】実開昭５４−１６８９１５号公報
【特許文献２】実開昭５５−１３５０１６号公報
【特許文献３】実開昭５８−１００６０８号公報
【考案の概要】
【考案が解決しようとする課題】
【０００８】
そこで、本考案の目的は、使用者の名字を立体文字で表すことにより、アイデンティティを明確かつ目立つように表現することができるバックルを提供することにある。
【課題を解決するための手段】
【０００９】
（１）板状のバックル本体と、バックル本体の表面から突出した名字を表す立体文字部とを含むことを特徴とするズボンベルト用バックル。
【００１０】
ここで、バックル本体と立体文字部とは、相互間に継目のない連続した金属からなることが好ましい。
【００１１】
（２）板状のバックル本体と、バックル本体の表面から突出した名字を表す立体文字部と、バックル本体の裏面に設けられた、ズボンベルトの基端側を取り付ける取付部と、バックル本体の裏面に設けられた、ズボンベルトの先端側を係止する係止部とを含むことを特徴とするズボンベルト用バックル。
【００１２】
ここで、バックル本体と、立体文字部、取付部及び係止部とは、相互間に継目のない連続した金属からなることが好ましい。
【考案の効果】
【００１３】
本考案のバックルは、使用者の名字を立体文字で表すので、アイデンティティを明確かつ目立つように表現することができる。
【図面の簡単な説明】
【００１４】
【図１】図１は実施例１のバックルを示し、（ａ）は表面側から見た斜視図、（ｂ）は裏面側から見た斜視図である。
【図２】図２は同バックルを示し、（ａ）は表面図、（ｂ）はＩＩｂ−ＩＩｂ端面図、（ｃ）はＩＩｃ−ＩＩｃ端面図である。
【図３】図３は実施例２のバックルを示し、（ａ）は裏面側から見た斜視図、（ｂ）は表面図、（ｃ）はＩＩＩｃ−ＩＩＩｃ端面図である。
【考案を実施するための形態】
【００１５】
１．バックル本体
バックル本体の厚さは、特に限定されないが、３〜２０ｍｍが好ましく、５〜１５ｍｍがより好ましい。厚さ３ｍｍ以上だと重厚感が強まり、厚さ２０ｍｍ以下だと重さが適度で取扱性が良い。
【００１６】
軽量化のために、バックル本体の裏面に肉抜き用凹部が形成されていてもよい。肉抜き用凹部の大きさは、特に限定されないが、バックル本体の裏面面積の１／３以上を占めることが好ましく、１／２以上を占めることがより好ましい。肉抜き用凹部の深さは、特に限定されないが、バックル本体の厚さの１／１０〜９／１０が好ましく、１／５〜４／５ｍｍがより好ましい。
【００１７】
２．名字を表す立体文字部
名字を表す立体文字部の文字種は、人の名字に応じて、漢字、平仮名文字、片仮名文字、記号（々、ゝ、ゞ、ー）等である。立体文字部の文字数は、原則として名字の文字数と同じであるが、名字以外の文字を追加してもよい。
【００１８】
立体文字部の（最表面での）線幅は、画数によっても変わり、特に限定されないが、１〜１５ｍｍが好ましく、２〜１２ｍｍがより好ましい。線幅１ｍｍ以上だと強度が高まる。
【００１９】
立体文字部の一字の大きさは、特に限定されないが、縦３０〜８０ｍｍ且つ横３０〜８０ｍｍが好ましく、縦３５〜７０ｍｍ且つ横３５〜７０ｍｍがより好ましい。縦３０ｍｍ以上且つ横３０ｍｍ以上だと目立ち方が強まり、縦８０ｍｍ以下且つ横８０ｍｍ以下だと適度な大きさで取扱性が良い。
【００２０】
名字を表す立体文字部は、バックル本体の表面全体を占める大きさでもよいし、バックル本体の表面に縁取りを残してその内側全体を占める大きさでもよい。前者の方が、見た目の印象が強い。
【００２１】
立体文字部の突出高さは、特に限定されないが、２〜１５ｍｍが好ましく、３〜１０ｍｍがより好ましい。突出高さ２ｍｍ以上だと立体感と重厚感が強まり、突出高さ１５ｍｍ以下だと加工性が良い。
【００２２】
３．金属
金属としては、特に限定されないが、鉄、アルミニウム、マグネシウム、ニッケル、クロム、チタン、銅、亜鉛、それらの各合金を例示でき、特に、ステンレス鋼、アルミニウム合金、真鍮又は青銅が好ましい。
【００２３】
４．製法
金属からなる場合のバックルの製法は、特に限定されないが、切削、鍛造、鋳造を例示でき、特に、全面的切削（削り出し）によるバックルが好ましい。
【００２４】
５．その他
バックル本体と立体文字部は、樹脂からなるものでもよい。
バックル本体と立体文字部と取付部と係止部は、樹脂からなるものでもよい。
【実施例】
【００２５】
以下、実施例について図面を参照して説明する。なお、実施例の各部の構造、形状、数等は例示であり、考案の要旨から逸脱しない範囲で適宜変更できる。
【００２６】
［実施例１］
図１及び図２に示す実施例１のバックル１は、板状のバックル本体２と、バックル本体２の表面から突出した名字を表す立体文字部３と、バックル本体２の裏面に設けられた、ズボンベルト１０の基端側１１を取り付ける取付部４と、バックル本体２の裏面に設けられた、ズボンベルト１０の先端側１２を係止する係止部５とを含み構成されている。
【００２７】
バックル本体２と、立体文字部３、取付部４及び係止部５とは、図２（ｂ）に示すように、相互間に継目のない連続した金属からなる。金属は、本例ではステンレス鋼又はアルミニウム合金である。本実施例のバックルは、金属を５軸加工機にて削り出すプロセスにより製造されたものである。
【００２８】
バックル本体２は、表面側が凸となるように緩く湾曲した板状であり、厚さは図示例では８〜１２ｍｍである。
【００２９】
名字を表す立体文字部３は、図示例では、使用者の名字である「迫田」の漢字２文字であり、線幅は３〜１０ｍｍであり、一字の大きさは縦４０〜６０ｍｍ且つ横４０〜６０ｍｍであり、（バックル本体からの）突出高さは４〜８ｍｍである。
【００３０】
取付部４は、図示例では、バックル本体２の裏面から（前記金属が連続して）突出した一対の突部６と、両突部６間に（前記金属が連続して）架設された軸部７とからなるものである。ベルト１０の基端側１１を、軸部７に巻き掛けて、ベルト重なり部を止めることにより、取り付けるようになっている。
【００３１】
係止部５は、図示例では、バックル本体２の裏面から（前記金属が連続して）突出した突起状のものである。ベルト１０の先端側１２に形成された複数の係止孔１３の一つを選んで、係止部５に挿入することにより、ベルトループ長調節のうえ係止できるようになっている。
【００３２】
本実施例のバックル１によれば、次の効果が得られる。
（ア）使用者の名字を立体文字で表すので、斬新なデザインであるとともに、オンリーワン商品とすることができ、アイデンティティを明確かつ目立つように表現することができる（究極の自己表現商品である）。
（イ）立体文字部３が、バックル本体２と別部品ではなく、継目のない連続した金属からなるため、耐久性が高い。
（ウ）取付部４と係止部５が、バックル本体２と別部品ではなく、継目のない連続した金属からなるため、耐久性が高い。
（エ）金属を５軸加工機にて削り出すプロセスにより製造されたものであり、加工難易度の考慮が必要なく、自由な３次元デザインが可能である。また、金型による量産品では真似できない加工精度の高さに感動を与えることができる。
【００３３】
［実施例２］
図３に示す実施例２のバックル１は、バックル本体２の裏面に肉抜き用凹部１４が形成されている点においてのみ実施例１と相違し、その他は実施例１と共通するものである。肉抜き用凹部１４は、図３（ａ）において破線よりも右側（主に「迫」の文字の裏面側）に形成されており、肉抜き用凹部１４の大きさはバックル本体２の裏面面積の１／２以上を占めている。また、肉抜き用凹部１４の深さは、バックル本体２の厚さの３／５〜４／５である。
【００３４】
本実施例のバックル１によれば、実施例１と同様の効果に加え、軽量化を図ることができる。
【００３５】
なお、本考案は前記実施例に限定されるものではなく、考案の趣旨から逸脱しない範囲で適宜変更して具体化することができる。
【符号の説明】
【００３６】
１    バックル
２    バックル本体
３    立体文字部
４    取付部
５    係止部
６    突部
７    軸部
１０    ベルト
１１    基端側
１２    先端側
１３    係止孔
１４    肉抜き用凹部
【図１】
0003227246.tif 000003
【図２】
0003227246.tif 000004
【図３】
0003227246.tif 000005